(57)【特許請求の範囲】
【請求項１】
アンテナ側に接続されたアンテナ接続端と、
受信信号を復調する受信部と、
信号を送信する送信部と、
前記受信部に接続された受信端と、
前記送信部に接続された送信端と、
アンテナ側より入来する信号の位相をシフトする位相調整部と、
前記位相調整部からの信号を前記位相調整部へ反射させる反射部と、
信号受信時または信号送信時に応じて前記アンテナ接続端を前記受信端、前記送信端また
は位相調整部に接続する切替スイッチ部とを備え、
信号受信時において前記受信端の受信信号のレベルが所定値より大きいときに前記切替ス
イッチ部は前記アンテナ接続端と前記位相調整部を接続し、
前記アンテナ接続端を介して入来する受信信号の位相を前記位相調整部によりシフトし、
前記反射部により反射した信号を前記位相調整部を介して切替スイッチ部へ戻すことにより前記アンテナ側から入力された信号と前記位相調整部を介して戻された信号とを加算し
て前記受信部へ入力することを特徴とする無線送受信回路。
【請求項２】
前記反射部は、グランドであることを特徴とする請求項１記載の無線送受信回路。
【請求項３】
前記反射部は、開放端であることを特徴とする請求項１記載の無線送受信回路。
【請求項４】
前記位相調整部は、マイクロストリップラインであることを特徴とする請求項１から３のいずれかの項に記載の無線送受信回路。
【請求項５】
前記位相調整部は、信号線に直列に接続されたコイルと、前記コイルとグランドとの間に接続されたコンデンサとを備えた回路であることを特徴とする請求項１から３のいずれかの項に記載の無線送受信回路。
【請求項６】
前記位相調整部と前記反射部との間に設けられ、前記位相調整部で位相をシフトした受信信号のレベルを調整するレベル調整部を備えたことを特徴とする請求項１から５のいずれかの項に記載の無線送受信回路。
【請求項７】
前記レベル調整部は、抵抗であることを特徴とする請求項６記載の無線送受信回路。
【請求項８】
前記位相調整部と前記反射部との間に設置された第１スイッチ部と、
前記アンテナ接続端から前記アンテナ方向へ無線信号を出力するときに前記第１スイッチ部をオフするスイッチ制御部とを備えたことを特徴とする請求項１から７のいずれかの項に記載の無線送受信回路。
【請求項９】
前記位相調整部と第１スイッチ部との間に一端が接続されると共に、他端が出力側に接続される第２スイッチ部が設けられ、
前記スイッチ制御部は、前記第１スイッチ部をオフするときには前記第２スイッチ部をオンとし、前記第１スイッチ部をオンするときには前記第２スイッチ部をオフとする機能を備えたことを特徴とする請求項８記載の無線送受信回路。
【請求項１０】
異なる位相にシフトする位相調整部と反射部とが減衰調整部として複数設けられていると共に、それぞれの減衰調整部を切り替える第３スイッチ部が設けられていることを特徴とする請求項１から９のいずれかの項に記載の無線送受信回路。
【発明の詳細な説明】
【技術分野】
【０００１】
本発明は、無線送信装置からの無線信号を受信して復調する無線受信回路、受信信号減衰方法および携帯無線電話機に関する。
【背景技術】
【０００２】
無線通信装置においては、通信エリア内で、移動しながら通話またはデータ通信することができる。無線通信では、通信距離が遠くなればなるほど受信電力が低下する端末間距離対受信電力特性となるので、反対に通信距離が極端に近いと受信側装置では極めて大きな受信電力となってしまう。例えば、無線通信装置の一例であるコードレス電話機では、親機に子機が搭載されていると、親機と子機との距離が近いため親機からの送信電波が子機に対して過大入力となり、受信した電波を増幅する回路などが飽和し復調処理ができない状態となってしまう。このような状態を回避することができる無線受信回路を用いた無線送受信機が特許文献１に記載されている。
【０００３】
特許文献１に記載の無線送受信機は、送信時は送受信切替器を切り替えてアンテナと送信部とを接続し、受信時には送受信切替器を受信部に切り替えて接続すると共に、受信入力が所定の許容レベルを超えたとき送受信切替器を送信側に切り替えてその漏洩受信レベルを受信部の入力として動作させるようにしたものである。
【特許文献１】特開平６−１４０９５９号公報
【発明の開示】
【発明が解決しようとする課題】
【０００４】
特許文献１に記載の無線送受信機は、送受信切替器が受信入力を送信側に切り替えても受信側が完全にアイソレーションされずに約２０〜３０ｄＢ減衰した信号が受信側へ流れるアイソレーション特性を利用したものであるが、この減衰量には限界がある。従って、より大きな減衰量が求められる場合には、この従来の無線受信回路では対応できない。従って、極端に大きい受信入力があると、減衰しきれないため再生音質の低下を招いてしまう。
【０００５】
そこで本発明は、受信信号が極度に大きいレベルであっても適正なレベルに調整可能とすることで、再生音質の低下を防止することができる無線受信回路、受信信号減衰方法および携帯無線電話機を提供することを目的とする。
【課題を解決するための手段】
【０００６】
本発明は、アンテナ側に接続されたアンテナ接続端と、前記アンテナ接続端からの受信信号を復調する受信部に接続された受信端と、前記アンテナ接続端からの受信信号の位相をシフトする位相調整部と、前記位相調整部からの信号を前記位相調整部へ反射させる反射部と、前記アンテナ接続端から前記受信端への信号に前記反射部で反射した信号を加算し、前記受信端へ出力する切替スイッチ部とを備えたことを特徴とする。
【発明の効果】
【０００７】
本発明は、アンテナ側に接続されるアンテナ接続端から受信端への信号に、位相調整部と反射部とで位相をシフトさせた信号を加算することにより、受信端での受信信号のレベルを適正に調整することができるので、再生音質の低下を防止することが可能である。
【発明を実施するための最良の形態】
【０００８】
本願の第１の発明は、アンテナ側に接続されたアンテナ接続端と、受信信号を復調する受信部と、信号を送信する送信部と、前記受信部に接続された受信端と、前記送信部に接続された送信端と、アンテナ側より入来する信号の位相をシフトする位相調整部と、前記位相調整部からの信号を前記位相調整部へ反射させる反射部と、信号受信時または信号送信時に応じて前記アンテナ接続端を前記受信端、前記送信端または位相調整部に接続する切替スイッチ部とを備え、信号受信時において前記受信端の受信信号のレベルが所定値より大きいときに前記切替スイッチ部は前記アンテナ接続端と前記位相調整部を接続し、前記アンテナ接続端を介して入来する受信信号の位相を前記位相調整部によりシフトし、前記反射部により反射した信号を前記位相調整部を介して切替スイッチ部へ戻すことにより前記アンテナ側から入力された信号と前記位相調整部を介して戻された信号とを加算して受信端へ出力することを特徴としたものである。
【０００９】
アンテナ側に接続されるアンテナ接続端から受信端への信号に、位相調整部と反射部とで位相をシフトさせた信号を加算することにより、反射部で反射した信号が同相で加算された場合は受信端での信号レベルが強まり、反射部で反射した信号が逆相で加算された場合は受信端での信号レベルが弱まるので、受信部に接続される受信端での受信信号のレベルを適正に調整することができる。
【００１２】
本願の第３の発明は、反射部は、グランドであることを特徴としたものである。
【００１３】
反射部をグランドとすることで、位相が１８０度シフトした信号を合成することができ、位相調整部で位相を変化させる量が小さくてすむので、無線受信回路を小さく構成することができる。
【００１４】
本願の第４の発明は、反射部は、開放端であることを特徴としたものである。
【００１５】
反射部を開放端とすることで、位相が変化しない状態の信号を合成でき、位相調整回路で位相をシフトする範囲を広くすることができるので、回路定数や回路配置に幅広く対応可能な無線受信回路を設計できる。
【００１６】
本願の第５の発明は、位相調整部は、マイクロストリップラインであることを特徴としたものである。
【００１７】
位相調整回路をマイクロストリップラインとすることにより、基板の誘電率やマイクロストリップラインの線長などに基づいて位相調整回路を設計することができるので、無線受信回路の設計が容易になる。
【００１８】
本願の第６の発明は、位相調整部は、信号線に直列に接続されたコイルと、コイルとグランドとの間に接続されたコンデンサとを備えた回路であることを特徴としたものである。
【００１９】
位相調整回路をコイルとコンデンサの集中定数回路とすることにより、メガヘルツ帯以下の周波数の無線回路を実現できるので、無線受信回路が対応できる周波数の範囲を広げることができる。
【００２０】
本願の第７の発明は、位相調整部と反射部との間に設けられ、位相調整部で位相をシフトした受信信号のレベルを調整するレベル調整部を備えたことを特徴としたものである。
【００２１】
レベル調整部を設けることで、反射部で反射し位相をシフトした受信信号の大きさを変えて、加算した後の受信信号の大きさを変化させることができるので、受信端での受信信号のレベルを適正に調整することができる。
【００２２】
本願の第８の発明は、レベル調整部は、抵抗であることを特徴としたものである。
【００２３】
レベル調整部を抵抗とすることで、容易に受信信号のレベルの調整が可能であると共に、無線受信回路を小さく構成することができる。
【００２４】
本願の第９の発明は、位相調整部と反射部との間に設置された第１スイッチ部と、アンテナ接続端からアンテナ方向へ無線信号を出力するときに第１スイッチ部をオフするスイッチ制御部とを備えたことを特徴としたものである。
【００２５】
アンテナ端から無線信号を出力するときでも、スイッチ制御部により第１スイッチをオフにすることで、反射部からの反射した受信信号の影響を排除することができる。
【００２６】
本願の第１０の発明は、位相調整部と第１スイッチ部との間に一端が接続されると共に、他端が出力側に接続される第２スイッチ部が設けられ、スイッチ制御部は、第１スイッチ部をオフするときには第２スイッチ部をオンとし、第１スイッチ部をオンするときには第２スイッチ部をオフとする機能を備えたことを特徴としたものである。
【００２７】
アンテナ端から無線信号を出力するときでも、スイッチ制御部により第１スイッチ部をオフし、第２スイッチ部をオンとすることで、無線信号の出力側への伝達特性に影響を与えないようにできるので、出力する無線信号を効率よくアンテナから出力することができる。
【００２８】
本願の第１１の発明は、異なる位相にシフトする位相調整部と反射部とが減衰調整部として複数設けられていると共に、それぞれの減衰調整部を切り替える第３スイッチ部が設けられていることを特徴としたものである。
【００２９】
位相の異なる位相調整部と反射部とで反射した複数の無線信号を第３スイッチ部で選択し、加算することにより、第３スイッチ部のみの制御によりアンテナからの無線信号の位相を調整することができるので、無線回路を変更することなく受信端での受信信号のレベルを調整でき、回路の製造後でもばらつきを補正することができる。
【００３０】
本願の第１２の発明は、アンテナ側に接続されたアンテナ接続端と、アンテナ接続端からの受信信号を復調する受信部に接続された受信端と、アンテナ接続端からの受信信号の位相をシフトする位相調整部と、位相調整部からの信号を位相調整部へ反射させる反射部と、アンテナ接続端を、受信端または位相調整部へ切り替え接続する切替スイッチ部とを備えた無線送受信回路の受信信号減衰方法において、受信信号のレベルが所定値より大きいときに前記アンテナ接続端を前記位相調整部に接続し、前記アンテナ接続端を介して入来する受信信号の位相を前記位相調整部によりシフトして反射部に送り、前記反射部により反射した受信信号を前記アンテナ側から入力された信号に加算して、受信端へ出力することを特徴としたものである。
【００３１】
アンテナ側に接続されるアンテナ接続端から受信端への信号に、位相をシフトさせた信
号を加算することにより、反射された信号が同相で加算された場合は受信端での信号レベルが強まり、反射された信号が逆相で加算された場合は受信端での信号レベルが弱まるので、受信端での受信信号のレベルを適正に調整することができる。
【００３２】
本願の第１３の発明は、第１の発明から第１１の発明のいずれかの無線受信回路を備えた携帯無線電話機としたものである。
【００３３】
受信信号が強いときに、受信信号を復調する受信部の入力前で受信信号を小さくすることができるので、通信相手が近いときでも、受信部の増幅部が飽和することなく受信することができる。
【００３４】
（実施の形態１）
本発明の実施の形態１に係る携帯無線電話機の一例であるコードレス電話機の子機と、この子機と通信する親機とを、図面に基づいて説明する。まずは、本実施の形態１に係るコードレス電話機の構成を図１から図９に基づいて説明する。図１は、本実施の形態１に係るコードレス電話機を示す図であり、（ａ）は親機を示す外観図、（ｂ）は、子機を示す外観図である。図２は、親機の構成を示す図である。図３は、子機の構成を示す図である。図４は、無線送受信回路を示すブロック図である。図５は、切替スイッチ部および減衰調整部を示す図である。図６（ａ）および同図（ｂ）は、位相調整回路の一例を示す図である。図７（ａ）および同図（ｂ）は、反射部の一例を示す図である。図８は、受信信号が過大レベルの時の受信切替スイッチ部の状態および信号の流れを示す図である。図９は、受信信号と反射波とがベクトル合成されて合成波となる状態を示す図である。
【００３５】
図１（ａ）および同図（ｂ）に示すように、本実施の形態１に係るコードレス電話機は、無線通信する親機１０と子機２０とを備え、子機２０が親機１０を介して通話をするものである。親機１０と子機２０とは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１での手順で通信を行っている。
【００３６】
図１（ａ）に示すように、親機１０は、回線交換方式で相手に接続して音声通話をするために公衆電話交換回線網（Ｐｕｂｌｉｃ  Ｓｗｉｔｃｈｅｄ  Ｔｅｌｅｐｈｏｎｅ  Ｎｅｔｗｏｒｋｓ：ＰＳＴＮ）や、ＩＰ電話機としてインターネットとの通信パケットの送受信を行うＬＡＮ（Ｌｏｃａｌ  Ａｒｅａ  Ｎｅｔｗｏｒｋ）に、後面側に位置するそれぞれのコネクタで接続されている。親機１０の中央部には、子機２０を搭載して充電するために充電部１００１が設けられている。また前面側には、子機２０が親機１０を介して通話している状態を示す通話中ランプ１００２と、留守番電話機能の作動中を示す留守ランプ１００３と、親機１０の状態や設定情報を設定するときに使用される表示部であるＬＣＤ（Ｌｉｑｕｉｄ  Ｃｒｙｓｔａｌ  Ｄｉｓｐｌａｙ）１００４が設けられている。側面側には、公衆電話交換回線網と通信するときの通信種別の設定を行うスライドスイッチ１００５と、呼び出し音を調整するスライドボリューム１００６とが設けられている。通話中ランプ１００２と留守ランプ１００３とはＬＥＤ（Ｌｉｇｈｔ  Ｅｍｉｔｔｉｎｇ  Ｄｉｏｄｅ）で形成されている。また、親機１０には、子機２０と通信するためにアンテナ１００７が設けられている。
【００３７】
図２に示すように、親機１０は、無線ブロック１０１０と、有線ブロック１０１１と、メモリブロック１０１２と、ユーザＩ／Ｆブロック１０１３と、電源ブロック１０１４と、制御ブロック１０１５とが設けられている。
【００３８】
無線ブロック１０１０は、アンテナ１００７に接続され、復調したり変調したりして子機２０との双方向通信を行う。
【００３９】
有線ブロック１０１１は、公衆電話交換回線網またはＬＡＮに接続され、制御ブロック１０１５との間でプロトコル変換を行う。
【００４０】
メモリブロック１０１２は、制御ブロック１０１５が実行するオペーティングシステムや、アプリケーションプログラムが格納されるＲＯＭ（Ｒｅａｄ  Ｏｎｌｙ  Ｍｅｍｏｒｙ）や、これらのプログラムが作業領域として使用するＲＡＭ（Ｒａｎｄｏｍ  Ａｃｃｅｓｓ  Ｍｅｍｏｒｙ）などのメモリである。また、メモリブロック１０１２は、通話データの符号化または復号化のためのバッファ領域としても使用される。発信先電話番号をアドレス帳として記憶したり、様々な設定データを記憶したりする不揮発性メモリも有している。
【００４１】
ユーザＩ／Ｆブロック１０１３は、使用者が操作する各種の操作キー部１０１６や、使用者へ各種の情報を報知する報知手段であるＬＣＤ１００４や、スピーカ１０１７などと、制御ブロック１０１５とのインターフェイスをとるものである。例えば、ユーザＩ／Ｆブロック１０１３が、制御ブロック１０１５からの表示データを入力するとＬＣＤ１００４に表示したり、制御ブロック１０１５からの音声データを入力するとスピーカ１０１７から鳴動させたりする。また使用者が操作キー部１０１６を押下すると、ユーザＩ／Ｆブロック１０１３が制御ブロック１０１５に対して割り込みを発生し、そのキーに応じたキーデータを制御ブロック１０１５へ出力する。
【００４２】
電源ブロック１０１４は、電灯線から供給される電源を、適正で、かつ安定した電圧に変換して親機１０全体へ供給すると共に、充電部１００１（図１参照）へ搭載された子機２０へ充電電流を供給する。
【００４３】
制御ブロック１０１５は、メモリブロック１０１２のプログラムを実行するＭＰＵ（Ｍｉｃｒｏ  Ｐｒｏｃｅｓｓｉｎｇ  Ｕｎｉｔ）と、このＭＰＵのタイミングを制御する制御回路とを備え、親機１０全体を統括制御するものである。
【００４４】
図１（ｂ）に示すように子機２０の前面側には、上から受話部であるレシーバ２００１と、表示部であるＬＣＤ２００２と、メニュー操作やオンフックやオンフックなどを行う機能キー部２００３と、発信先電話番号を入力したり文字入力したりする数字キー部２００４と、音声を入力する送話部であるマイク２００５とが設けられている。また背面側には、着信音を鳴動させたり、通話音声を出力したりする図示しないスピーカが設けられている。
【００４５】
図３に示すように、子機２０は、無線ブロック２０１０と、メモリブロック２０１１と、ユーザＩ／Ｆブロック２０１２と、電源ブロック２０１３と、制御ブロック２０１４とが設けられている。
【００４６】
無線ブロック２０１０は、子機２０本体内に収納されたアンテナ２０１５に接続され、復調したり変調したりして親機１０との双方向通信を行う。
【００４７】
メモリブロック２０１１は、制御ブロック２０１４が実行するオペーティングシステムや、アプリケーションプログラムが格納されるＲＯＭや、これらのプログラムが作業領域として使用するＲＡＭなどのメモリである。また、メモリブロック２０１１は、通話データの符号化または復号化のためのバッファ領域としても使用される。
【００４８】
ユーザＩ／Ｆブロック２０１２は、使用者が操作する機能キー部２００３および数字キー部２００４などの操作キー部２０１６や、使用者へ各種の情報を報知する報知手段であ
るＬＣＤ２００２や、スピーカ２０１７や、レシーバ２０１８や、使用者の音声を入力するマイク２００５と、制御ブロック２０１４とのインターフェイスをとるものである。例えば、ユーザＩ／Ｆブロック２０１２が、制御ブロック２０１４からの表示データを入力するとＬＣＤ２００２に表示したり、制御ブロック２０１４からの音声データを入力するとスピーカ２０１７やレシーバ２０１８から鳴動させたりする。また使用者が操作キー部２０１６を押下すると、ユーザＩ／Ｆブロック２０１２が制御ブロック２０１４に対して割り込みを発生し、そのキーに応じたキーデータを制御ブロック２０１４へ出力する。
【００４９】
電源ブロック２０１３は、親機１０から充電されるバッテリを有し、バッテリの電圧を適正で、かつ安定した電圧に変換して子機２０全体へ供給する。また、バッテリの電圧監視回路を有し、バッテリから供給される電圧を監視して、子機２０が動作可能な電圧を下回るときには制御ブロック２０１４へ割り込みを通知する。
【００５０】
制御ブロック２０１４は、メモリブロック２０１１のプログラムを実行するＭＰＵ（Ｍｉｃｒｏ  Ｐｒｏｃｅｓｓｉｎｇ  Ｕｎｉｔ）と、このＭＰＵのタイミングを制御する制御回路とを備え、子機２０全体を統括制御するものである。
【００５１】
ここで、親機１０と子機２０とが無線通信する、親機１０の無線ブロック１０１０と、子機２０の無線ブロック２０１０とを図４に基づいて詳細に説明する。なお、本実施の形態１に係る無線ブロック１０１０，２０１０では、同様の回路構成としており、図４においては、無線ブロック１０１０，２０１０を、無線送受信回路５０として説明する。
【００５２】
図４に示すように、無線送受信回路５０は、ＩＳＭバンドである２．４ＧＨｚ帯で通信するもので、アンテナ５００１との接続を切り替える切替スイッチ部５１００と、減衰調整部５２００と、受信部５３００と、送信部５４００と、局部発振部５５００と、ベースバンド部５６００と、ＭＡＣ部５７００とを備えている。
【００５３】
切替スイッチ部５１００は、ベースバンド部５６００からの指示により受信時にはアンテナ５００１を受信部５３００側または減衰調整部５２００側へ、送信時にはアンテナ５００１との接続を送信部５４００へ切り替えるものである。
【００５４】
ここで切替スイッチ部５１００について、図５に基づいて詳細に説明する。図５（ａ）、（ｂ）、（ｃ）に示すように、切替スイッチ部５１００は、アンテナ５００１に接続されるアンテナ接続端ａを、受信部５３００に接続される受信端ｂか、送信部５４００に接続される送信端ｃか、または減衰調整部５２００に接続される反射端ｄかのいずれかに切り替えて、ほぼ導通状態とする機能を有している。切替スイッチ部５１００は、アンテナ接続端ａを受信端ｂ、送信端ｃ、または反射端ｄのいずれかに接続しても、アンテナ接続端ａは他の端子と完全にアイソレーションされず、アンテナ接続端ａからの受信信号が約２０〜３０ｄＢ減衰した信号となって他の端子に出力する機能を備えている。この切替スイッチ部５１００としては、ＳＰ３Ｔ（ｓｉｎｇｌｅ−ｐｏｌｅ  ｔｒｉｐｌｅ  ｔｈｒｏｗ）スイッチを使用することができる。またＳＰ３Ｔスイッチを、ダイオードなどを用いて等価回路で構成して切替スイッチ部５１００とすることも可能である。
【００５５】
減衰調整部５２００は、位相調整部５２１０と、反射部５２２０とを備えている。位相調整部５２１０は、受信信号の位相をシフトする機能を備えている。例えば、図６（ａ）に示すように、位相調整部５２１０をマイクロストリップライン５２１１で形成した分布定数回路とすることができる。マイクロストリップライン５２１１は、誘電体である基板を挟んでグランドパターン上に形成された導体パターンである。マイクロストリップライン５２１１による位相のシフト量は、導体パターンの線幅、線厚、および線長と、基板が有する誘電率と、受信信号の周波数とに応じて適正に決めることができる。また、図６（
ｂ）に示すように、位相調整部５２１０は、反射端ｄに接続される信号線に直列に接続されたコイル５２１２，５２１３と、コイル５２１２，５２１３とグランド５２１４との間に接続されたコンデンサ５２１５とで形成された集中定数回路とすることができる。
【００５６】
また反射部５２２０は、位相調整部５２１０からの信号を位相調整部５２１０へ反射する機能を備えている。例えば、図７（ａ）に示すように、反射部５２２０は、グランド５２２１とすることができる。反射部５２２０をグランド５２２１とし、位相調整部５２１０をグランド５２２１へ接続することで、位相が１８０度シフトした信号を反射させることができる。また、図７（ｂ）に示すように、反射部５２２０は、開放端５２２２とすることができる。位相調整部５２１０を開放端５２２２へ接続することで、位相が変化しない状態の信号を反射させることができる。
【００５７】
図４に戻って、受信部５３００は、バンドパスフィルタ部５３１０と、バラン部５３２０と、ローノイズアンプ部５３３０と、ミキサ部５３４０と、ローパスフィルタ部５３５０と、ゲイン調整部５３６０とを備えている。
【００５８】
バンドパスフィルタ部５３１０は、２．４ＧＨｚ帯の受信信号だけを通過させるフィルタである。バラン部５３２０は、不平衡信号である受信信号を平衡信号に変換する機能を有している。ローノイズアンプ部５３３０は、低ノイズ増幅器である。ミキサ部５３４０は、局部発振部５５００からの信号により、２．４ＧＨｚ帯の信号を２ＭＨｚの中間周波数にダウンコンバートする機能を有する。ローパスフィルタ部５３５０は、希望する低周波のみを通過させベースバンド信号に変換するフィルタである。ゲイン調整部５３６０は、ベースバンド信号を適正なレベルに調整して出力する。また、ゲイン調整部５３６０は、受信信号強度表示信号（ＲＳＳＩ：Ｒｅｃｅｉｖｅｄ  Ｓｉｇｎａｌ  Ｓｔｒｅｎｇｔｈ  Ｉｎｄｉｃａｔｏｒ）をベースバンド部５６００へ出力する。
【００５９】
送信部５４００は、第１増幅部５４１０と、ローパスフィルタ部５４２０と、ミキサ部５４３０と、第２増幅部５４４０と、バラン部５４５０と、電力増幅部５４６０とを備えている。
【００６０】
第１増幅部５４１０は、ベースバンド部５６００からの送信信号であるベースバンド信号を増幅するアンプである。ローパスフィルタ部５４２０は、増幅されたベースバンド信号から不要な高周波成分を除去することでスムージングする。ミキサ部５４３０は、局部発振部５５００からの信号により中間周波数から高周波へアップコンバートする。第２増幅部５４４０は、高周波に変換された送信信号を増幅するアンプである。バラン部５４５０は、平衡信号である送信信号を不平衡信号に変換する機能を有している。電力増幅部５４６０は、不平衡信号に変換された送信信号を電力増幅するアンプである。
【００６１】
局部発振部５５００は、２４５０ＭＨｚ帯の信号を２ＭＨｚの中間周波数に変換するため、２４４８ＭＨｚの局部発信周波数を発生させる発振器５５１０と、発振器５５１０の発振周波数を安定させるＰＬＬ（Ｐｈａｓｅ  Ｌｏｃｋｅｄ  Ｌｏｏｐ）部５５２０とを備えている。
【００６２】
ベースバンド部５６００は、送受信時の切替スイッチ部５１００の切り替え制御を含むリアルタイム制御を行う制御部である。また、ベースバンド部５６００は、送信時においてはＭＡＣ部５７００からの送信パケットをベースバンド帯での変調処理を行い送信信号としてベースバンド部５６００へ出力する。また、受信時には受信信号を復調処理して受信パケットとしてＭＡＣ部５７００へ出力する。
【００６３】
ＭＡＣ部５７００は、制御ブロック１０１５，２０１４からの送信データに基づいて送
信パケットを生成してベースバンド部５６００へ出力したり、ベースバンド部５６００からの受信パケットから受信データを生成して制御ブロック１０１５，２０１４へ出力したりする。
【００６４】
以上のように構成される本発明の実施の形態１に係るコードレス電話機の無線送受信回路５０における送受信動作を図面に基づいて説明する。
【００６５】
まずは無線送受信回路５０の送信動作を説明する。図４に示すように、ＭＡＣ部５７００は、制御ブロックからの送信データに基づいて送信パケットを生成してベースバンド部５６００へ出力する。ベースバンド部５６００は、ＭＡＣ部５７００からの送信パケットを入力すると、アンテナ接続端ａを送信端ｃへ接続するよう切替スイッチ部５１００へ指示する（図５（ｂ）参照）。そしてベースバンド部５６００は、送信パケットを変調した送信信号を生成して第１増幅部５４１０へ出力する。第１増幅部５４１０では、入力した送信信号を増幅してローパスフィルタ部５４２０へ出力する。ローパスフィルタ部５４２０では、入力された送信信号から高周波成分を除去してスムージングを行う。送信信号は、ミキサ部５４３０にて局部発振部５５００からの信号と混合され、２．４ＧＨｚ帯の高周波の送信信号にアップコンバートされる。アップコンバートされた送信信号は、第２増幅部５４４０で増幅され、バラン部５４５０で不平衡信号に変換された後、電力増幅部５４６０で電力増幅される。そして、導通状態となった切替スイッチ部５１００の送信端ｃとアンテナ接続端ａとを経由してアンテナ５００１から無線信号として放射される。
【００６６】
次に、無線送受信回路５０の受信動作を説明する。受信動作を説明するに当たっては、親機１０と子機２０とが受信可能な程度に十分離れた状態にある場合の受信動作を最初に説明し、次に例えば親機１０に子機２０が搭載された状態で無線信号を受信した場合の受信動作を説明する。
【００６７】
まず初期状態として、ベースバンド部５６００は、アンテナ接続端ａを受信端ｂへ接続するよう切替スイッチ部５１００へ指示している（図５（ａ）参照）。図４に示すように、アンテナ５００１から受信した無線信号は、切替スイッチ部５１００のアンテナ接続端ａと受信端ｂとを経由してバンドパスフィルタ部５３１０に受信信号として入力される。バンドパスフィルタ部５３１０に入力された受信信号は、不要な信号が除去され、バラン部５３２０へ出力される。バラン部５３２０に入力された受信信号は、不平衡信号から平衡信号に変換される。平衡信号に変換された受信信号は、ローノイズアンプ部５３３０により増幅された後、ミキサ部５３４０へ入力される。ミキサ部５３４０では増幅された受信信号を局部発振部５５００からの信号により２．４ＧＨｚ帯の信号を２ＭＨｚの中間周波数にダウンコンバートする。そして、中間周波数に変換された受信信号は、ローパスフィルタ部５３５０で希望する低周波のみを通過させベースバンド信号に変換された後、ゲイン調整部５３６０で適正なレベルに調整されたベースバンド部５６００へ出力される。ベースバンド部５６００では、入力された受信信号を復調して受信データを生成し、ＭＡＣ部５７００へ出力する。ベースバンド部５６００は、ゲイン調整部５３６０から出力された受信信号強度表示信号により受信した受信信号の受信電力強度を知ることができる。このとき、受信信号強度表示信号が過大に大きい値を示している場合がある。これは、親機１０に子機２０が搭載された状態で子機２０が無線信号を受信するなど、親機１０と子機２０との距離が接近した状態で無線信号を受信した場合である。
【００６８】
受信信号強度表示信号が過大に大きい値を示すときには、受信信号が過大なレベルで受信部５３００に入力されていることを示しているので、ローノイズアンプ部５３３０などが飽和状態となり、再生音質の低下を招くおそれがある。
【００６９】
ベースバンド部５６００が入力した受信信号強度表示信号が示す受信信号のレベルが所定値より大きい場合には、図５（ｃ）に示すように、ベースバンド部５６００は、切替スイッチ部５１００のアンテナ接続端ａと反射端ｄとを接続するように切替スイッチ部５１００へ指示する。
【００７０】
この指示により切替スイッチ部５１００は、切替スイッチ部５１００のアンテナ接続端ａと反射端ｄとが接続され、ほぼ導通状態とし、アンテナ接続端ａからの受信信号を減衰させた信号を受信端ｂへ出力するように動作する。図８は切替スイッチ部５１００がアンテナ接続端ａと反射端ｄとを接続した状態および信号の流れを示す図である。
【００７１】
従って、アンテナ５００１からの受信信号は、切替スイッチ部５１００のアンテナ接続端ａから反射端ｄを経由して減衰調整部５２００へ流れる信号（実線）と、減衰してアンテナ接続端ａから受信端ｂを経由してバンドパスフィルタ部５３１０へ流れる信号となる。
【００７２】
減衰調整部５２００では、受信信号（実線）が位相調整部５２１０で位相φほどシフトされる。そして位相φほどシフトされた受信信号は、反射部５２２０のインピーダンス（ＺL）と反射部５２２０での伝送路のインピーダンス（Ｚ0）とで定まる反射率Γ＝（ＺL−Ｚ0）／（ＺL＋Ｚ0）で定まる信号となって反射する。反射部５２２０で反射した信号（一点鎖線）は、位相調整部５２１０で再度位相φほどシフトされて、位相調整部５２１０から反射波Ｓｂとして切替スイッチ部５１００の反射端ｄへ戻される。
【００７３】
従って、切替スイッチ部５１００では受信信号（破線）Ｓａと、反射波（一点鎖線）Ｓｂとが合成され、その合成波Ｓｃがアンテナ接続端ａから受信端ｂへも漏えいする。受信端ｂでは、この合成波Ｓｃが受信信号に対して例えば２０ｄＢ〜３０ｄＢ減衰した信号となり、この合成波Ｓｃが受信部５３００へ入力される。
【００７４】
ここで、反射波Ｓｂと元の受信信号Ｓａとの位相差（２φ）が、９０°〜２７０°の範囲であれば、信号同士が打ち消しあって、合成波Ｓｃは受信信号Ｓａより小さくなる（減衰する）ので、受信信号が過大なレベルであっても減衰比Ｓｃ／Ｓａとなった受信信号に改善することができる。図９では、位相調整部５２１０での位相のシフト量を９０°とし、反射部５２２０での反射率を０．５としたときの各信号のベクトル合成を示している。つまり、受信信号Ｓａとの位相差２φ＝１８０°、反射率Γ＝０．５では、合成波Ｓｃ＝Ｓａ／２となり、６ｄＢの受信信号の減衰効果が得られる。
【００７５】
このように、親機１０または子機２０が受信するときに、通信距離が接近しているために、受信部５３００への受信信号が過大なレベルとなってしまうような状態においても、アンテナ接続端ａから受信端ｂへの減衰した信号に、位相調整部５２１０で位相調整し、反射部５２２０で反射した信号を加算し、受信端ｂへ出力することで、適正なレベルに調整することができる。
【００７６】
また、受信部５３００による受信と、送信部５４００とによる送信とが時分割で行われる無線送受信回路５０では、受信信号が過大入力となる受信時の切り替えを切替スイッチ部５１００を兼用することで、コストアップすることなく、受信信号のレベルを調整することができる。
【００７７】
（実施の形態２）
本発明の実施の形態２に係る無線送受信回路を、図１０および図１１に基づいて説明する。図１０および図１１は、本実施の形態２に係る無線送受信回路を示す図である。なお図１０および図１１においては、無線送受信回路の主要な部分のみを図示しており、他の構成は便宜上、省略している。また、図１０および図１１においては、図４および図６と
同じ構成のものは同符号を付して説明を省略する。
【００７８】
図１０に示す無線送受信回路６０は、減衰調整部６１００が、送信部５４００側に挿入されている。そして、無線送受信回路６０は、アンテナ５００１との接続を、送信時には送信部５４００へ、受信時には受信部５３００へ切り替える切替スイッチ部６２００を備えている。
【００７９】
実施の形態２に係る切替スイッチ部６２００は、減衰調整部６１００を送信部５４００側に挿入するように配置しているので、実施の形態１の切替スイッチ部５１００のような反射端ｄを有していない。
【００８０】
切替スイッチ部６２００は、ベースバンド部５６００からの指示Ｃ１により、アンテナ５００１に接続されるアンテナ接続端ａを、受信部５３００に接続される受信端ｂか、送信部５４００に接続される送信端ｃかのいずれかに切り替えて、ほぼ導通状態とする機能を有している。そして、切替スイッチ部６２００は、アンテナ接続端ａを受信端ｂ、または送信端ｃのいずれかに接続しても、アンテナ接続端ａは他の端子と完全にアイソレーションされず、アンテナ接続端ａからの受信信号が約２０〜３０ｄＢ減衰した信号となって他の端子に出力する機能を備えている。この切替スイッチ部６２００としては、ＳＰＤＴ（ｓｉｎｇｌｅ−ｐｏｌｅ  Ｄｏｕｂｌｅ  ｔｈｒｏｗ）スイッチを使用することができる。またＳＰＤＴスイッチを、ダイオードなどを用いて等価回路で構成して切替スイッチ部６２００とすることも可能である。
【００８１】
減衰調整部６１００には、位相調整部５２１０と反射部５２２０との間に第１スイッチ部６１１０が設けられている。この第１スイッチ部６１１０は、スイッチ制御部として機能するベースバンド部５６００からの指示Ｃ２によりオンかオフかが制御される。
【００８２】
このように構成される本発明の実施の形態に係る無線送受信回路６０の送受信動作を図１０に基づいて説明する。
【００８３】
送信時には、アンテナ接続端ａを送信端ｃへ接続するようベースバンド部５６００から指示Ｃ１が切替スイッチ部６２００へ出力される。この指示Ｃ１により、切替スイッチ部６２００は、図１０（ａ）に示すようにアンテナ接続端ａを送信端ｃへ接続する。そして、ベースバンド部５６００から第１スイッチ部６１１０へは、接続を切断するよう指示Ｃ２が出力される。そうすることで、反射部５２２０が送信部５４００の伝送線路から切り離されるため、電力増幅部５４６０からの送信信号に反射部５２２０が影響を与えることがない。送信信号は位相調整部５２１０を通過することで位相がシフトするが、無線信号として位相がシフトすることで僅かばかり遅延するだけで、波形が歪んで変形する訳ではないので、通信は通常通り行うことができる。
【００８４】
受信時には、アンテナ接続端ａを受信端ｂへ接続するようベースバンド部５６００から指示Ｃ１が切替スイッチ部６２００へ出力される。この指示Ｃ１により、切替スイッチ部６２００は、図１０（ｂ）に示すようにアンテナ接続端ａを受信端ｂへ接続する。そして、ベースバンド部５６００から第１スイッチ部６１１０へは、接続を切断するよう指示Ｃ２が出力される。そうすることで、通常受信する状態において、反射部５２２０が切り離された状態となるため、受信部５３００に対して反射部５２２０からの反射波による影響を与えないようにすることができる。
【００８５】
そして、受信時において受信信号が過大なレベルであると判断された場合には、アンテナ接続端ａを送信端ｃへ接続するようベースバンド部５６００から指示Ｃ１が切替スイッチ部６２００へ出力される。この指示Ｃ１により、切替スイッチ部６２００は、アンテナ接続端ａを送信端ｃに接続する。そして、図１０（ｃ）に示すように、ベースバンド部５６００から第１スイッチ部６１１０へ接続するよう指示Ｃ２が出力される。無線信号は、アンテナ５００１からアンテナ接続端ａと送信端ｃとを経由して受信信号として減衰調整部６１００へ流れる。減衰調整部６１００では、位相調整部５２１０により受信信号が位相シフトされ、接続された第１スイッチ部６１１０を介して受信信号が反射部５２２０で反射して反射波となる。反射した反射波は、再度位相調整部５２１０を通過して再度位相シフトされ、送信端ｃへ流れる。そして元の受信信号と反射波とが加算され、合成波となって受信端ｂへ流れる。受信端ｂへは、２０ｄＢ〜３０ｄＢ減衰した受信信号となって流れ、受信部５３００のバンドパスフィルタ部５３１０へ流れるので、過大なレベルの受信信号であっても適正なレベルに調整することができる。
【００８６】
このように本実施の形態２では、反射部５２２０を送信部５４００の伝送線路から切り離す第１スイッチ部６１１０を設けているので、減衰調整部６１００を送信部５４００側に挿入しても送信部５４００に対して影響を与えないようにすることができる。
【００８７】
図１０に示す減衰調整部６１００としては、図１１に示すような構成とすることができる。
【００８８】
図１１に示すように、減衰調整部６１００として、位相調整部５２１０をマイクロストリップライン（ＭＬ）６１２０、反射部５２２０をグランド６１３０で構成している。第１スイッチ部６１１０として、マイクロストリップライン６１２０に接続されたダイオード（Ｄ１）６１１１と、ベースバンド部５６００に接続される抵抗（Ｒ２）６１１２と、コンデンサ（Ｃ）６１１３と、マイクロストリップライン６１２０に接続されるコイル（Ｌ１）６１１４とで構成している。
【００８９】
また図１１においては、グランド６１３０での反射量を調整するレベル調整部として抵抗（Ｒ１）６３００と、電力増幅部５４６０の伝送線路とマイクロストリップライン６１２０とを切り離す第２スイッチ部として機能するダイオード（Ｄ２）６４１０と、コイル（Ｌ２）６４２０とを備えている。
【００９０】
図１１に示される減衰調整部の動作を説明する。まず送信時には、アンテナ接続端ａを送信端ｃへ接続するようベースバンド部５６００から指示Ｃ１が切替スイッチ部６２００へ出力される。この指示Ｃ１により、切替スイッチ部６２００は、アンテナ接続端ａを送信端ｃへ接続する。そして、ベースバンド部５６００は、指示Ｃ２として切替端ｅをハイレベルとする。コイル６１１４，６４２０は、高周波に対して高インピーダンスであるが、切替端ｅに対する指示Ｃ２には低インピーダンスとして作用するので、切替端ｅをローレベルとすることで、マイクロストリップライン６１２０の電位が低く、ダイオード６１１１はオフ、ダイオード６４１０はオンとなる。すなわち、送信時には、反射部５２２０であるグランド６１３０はマイクロストリップライン６１２０から切り離された状態となり、送信部５４００の電力増幅部５４６０は伝送線路であるマイクロストリップライン６１２０に接続された状態となる。従って、送信信号が反射して、受信部５３００へ向かう反射波となることを防止することができる。電力増幅部５４６０からの送信信号がグランド６１３０で反射して、送信信号に影響を与えてしまうことを防止することができる。
【００９１】
通常の受信時には、アンテナ接続端ａを受信端ｂへ接続するようベースバンド部５６００から指示Ｃ１が切替スイッチ部６２００へ出力される。この指示Ｃ１により、切替スイッチ部６２００は、アンテナ接続端ａを受信端ｂへ接続する。そして、ベースバンド部５６００は、指示Ｃ２として切替端ｅをローレベルとする。切替端ｅをローレベルとすることで、マイクロストリップライン６１２０の電位が低くなり、ダイオード６１１１はオフ、ダイオード６４１０はオンとなる。すなわち、通常の受信時には、反射部５２２０であ
るグランド６１３０がマイクロストリップライン６１２０から切り離された状態となることで、グランド６１３０で受信信号が反射して、受信部５３００へ向かう反射波となることを防止することができる。
【００９２】
そして、受信時において、ベースバンド部５６００が受信信号が過大なレベルであると判断した場合には、アンテナ接続端ａを送信端ｃへ接続するようベースバンド部５６００から指示Ｃ１が切替スイッチ部６２００へ出力される。この指示Ｃ１により、切替スイッチ部６２００は、アンテナ接続端ａを送信端ｃに接続する。そして、ベースバンド部５６００は、指示Ｃ２として切替端ｅをハイレベルとする。切替端ｅをハイレベルとすることで、マイクロストリップライン６１２０が高い電位となり、ダイオード６１１１はオン、ダイオード６４１０はオフとなる。ダイオード６１１１がオンとなることで、無線信号は、アンテナ５００１からアンテナ接続端ａと送信端ｃとを経由して受信信号としてマイクロストリップライン６１２０へ流れ位相シフトされる。そしてダイオード６１１１を通過した受信信号は、抵抗値ｒΩである抵抗６３００と、グランド６１３０とにより、反射率Γ＝（ｒ−Ｚ0）／（ｒ＋Ｚ0）の反射波となって反射する。つまり抵抗６３００を、位相調整部５２１０として機能するマイクロストリップライン６１２０と反射部５２２０として機能するグランド６１３０との間に設けることで、レベル調整部として機能させることができる。
【００９３】
このようにレベル調整部を抵抗６３００で形成することで、容易に受信信号のレベルの調整が可能であると共に、無線送受信回路を小さく構成することができる。また、第２スイッチ部としてダイオード６４１０およびコイル６４２０を備えているので、マイクロストリップライン６１２０と、抵抗６３００と、グランド６１３０とで構成される位相のシフト量に影響を与えないようにすることができる。
【００９４】
なお、図１０および図１１においては位相調整部５２１０としてマイクロストリップライン６１２０を採用しているので、位相のシフト量はこのマイクロストリップライン６１２０の線長に大きく影響される。従って、位相のシフト量を大きく設定するときに、マイクロストリップライン６１２０を長くする必要がある。しかし、例えば無線送受信回路を搭載するプリント基板サイズが大きくなるなどの物理的な制約があるときには、図６（ｂ）に示すような集中定数回路で構成した位相調整部５２１０を採用してもよい。
【００９５】
（実施の形態３）
本発明の実施の形態３に係る無線送受信回路を図１２から図１５に基づいて説明する。図１２は、本実施の形態３に係る無線送受信回路を示す図である。図１３は、図１２における送信時の動作を示す図である。図１４は、図１２における通常の受信時の動作を示す図である。図１５は、図１２における受信信号が過大入力となる受信時の動作を示す図である。なお図１２から図１５においては、無線送受信回路の主要な部分のみを図示しており、他の構成は便宜上、省略している。また、図１２から図１５においては、図１１と同じ構成のものは同符号を付して説明を省略する。
【００９６】
本実施の形態３に係る無線送受信回路６０は、図１１に示す切替スイッチ部６２００を、ＳＰＤＴスイッチを採用せずに、ダイオードなどで構成したものである。図１２に示すように、指示Ｃ１に接続された抵抗６２０１と、指示Ｃ１のノイズ除去用のコンデンサ６２０２と、直流的に接続し高周波的に分断するコイル６２０３とが受信端ｂに接続されている。また受信端ｂには、ダイオード６２０４のアノードが接続されている。
【００９７】
同様に、指示Ｃ１の負論理に接続された抵抗６２０５と、指示Ｃ１のノイズ除去用のコンデンサ６２０６と、直流的に接続し高周波的に分断するコイル６２０７とが送信端ｃにコンデンサ６２０８を介して接続されている。また送信端ｃには、ダイオード６２０９の
アノードが接続されている。
【００９８】
そしてアンテナ５００１が接続されるアンテナ接続端ａには、ダイオード６２０４およびダイオード６２０９のアノード同士が接続された状態で接続され、グランドに接続されたコイル６２１０が接続されている。
【００９９】
このように構成された切替スイッチ部６２００の動作を図１３から図１５に基づいて説明する。まず送信時には、図１３に示すように、指示Ｃ１としてローレベル（例えば、−３Ｖ）が与えられる。そうすることでダイオード６２０４がオフとなる。そして指示Ｃ１の負論理としてハイレベル（例えば、＋３Ｖ）が与えられたことで、ダイオード６２０９がオンとなり送信信号がマイクロストリップライン６１２０を介して送信端ｃからアンテナ接続端ａへ通過してアンテナ５００１から無線信号となって送信される。
【０１００】
受信時には、図１４に示すように、指示Ｃ１としてハイレベル（例えば、＋３Ｖ）が与えられる。そうすることでダイオード６２０４がオンとなる。そして指示Ｃ１の負論理としてローレベル（例えば、−３Ｖ）が与えられたことで、ダイオード６２０９がオフとなる。従って、アンテナ５００１の受信信号がアンテナ接続端ａからダイオード６２０４を介して受信端ｂへ流れ、位相調整部として機能するマイクロストリップライン６１２０や、反射部として機能するグランド６１３０からの影響は受けない。
【０１０１】
そして受信信号が過大入力であるときには、図１５に示すように、指示Ｃ１としてローレベル（例えば、−３Ｖ）が与えられる。そうすることでダイオード６２０４がオフとなる。そして指示Ｃ１の負論理としてハイレベル（例えば、＋３Ｖ）が与えられたことで、ダイオード６２０９がオンとなる。ダイオード６２０４がオフとなることでアンテナ接続端ａと受信端ｂとは切り離されるが、完全にアイソレーションされずに２０ｄＢ〜３０ｄＢの漏洩電流が流れる。従って、送信端ｃから反射した位相シフトした受信信号が、アンテナ接続端ａからの受信信号と加算され、更にダイオード６２０４を通過することで減衰した受信信号となって受信端ｂへ流れる。このようにダイオード６２０４とのカソード同士を接続し、オフ／オンを切り替えることで、切替スイッチ部６２００として機能させることができる。
【０１０２】
（実施の形態４）
本発明の実施の形態４に係る無線送受信回路を図１６に基づいて説明する。図１６は、本実施の形態４に係る無線送受信回路を示す図である。なお図１６においては、無線送受信回路の主要な部分のみを図示しており、他の構成は便宜上、省略している。また、図１６においては、図１０と同じ構成のものは同符号を付して説明を省略する。
【０１０３】
実施の形態４に係る減衰調整部には、位相調整部と反射部とが複数組設けられている。図１６に示すように、減衰調整部６５００は、位相調整部としてマイクロストリップライン６５１０と、第１反射部６５２０と、第２反射部６５３０とを備えている。そして減衰調整部６５００には、第１反射部６５２０と第２反射部６５３０とを切り替える第３スイッチ部６５４０が設けられている。第３スイッチ部６５４０は、マイクロストリップライン６５１０と第１反射部６５２０との間の接続および切断を行う第１反射部スイッチ６５４１と、マイクロストリップライン６５１０と第２反射部６５３０との間の接続および切断を行う第２反射部スイッチ６５４２とで構成される。
【０１０４】
第１反射部スイッチ６５４１は、マイクロストリップライン６５１０の中間部に接続されている。また、第２反射部スイッチ６５４２は、マイクロストリップライン６５１０の端部に接続されている。これは、位相調整部として機能するマイクロストリップライン６５１０に第１反射部６５２０と第２反射部６５３０とが接続する位置を異ならせ、送信端
ｃからのマイクロストリップライン６５１０の伝送線路上の線長を異ならせることで、受信信号の位相のシフト量が異なるように設定したものである。
【０１０５】
従って、受信時において受信信号が極端に大きいレベルであると判断された場合に、ベースバンド部５６００にから第３スイッチ部６５４０への指示として第１反射部スイッチ６５４１をオフし、第２反射部スイッチ６５４２をオンしたり、受信信号が極端に大きくはないけれど、受信部５３００が音質低下を引き起こす可能性がある程度のレベルであれば、その逆としたりすることで、適宜、受信信号のシフト量を変更して減衰量を調整することができる。また、第１反射部スイッチ６５４１に接続される第１反射部６５２０と第２反射部６５３０との反射率を異ならせることで、更なるシフト量の変更が可能である。
【０１０６】
このように、第３スイッチ部６５４０を制御することで、アンテナ５００１からの受信信号の位相を調整することができるので、無線送受信回路を変更することなく受信端ｂでの受信信号のレベルを調整でき、回路の製造後でもばらつきを補正することができる。
【０１０７】
なお、本実施の形態４では、減衰調整部６５００として位相調整部と反射部との組み合わせを２組としているが、マイクロストリップライン６５１０を延長して３組以上設けるようにすることも可能である。
【０１０８】
以上、本発明の実施の形態について説明してきたが、本発明は前記実施の形態に限定されるものではない。実施の形態１〜４では、受信部と送信部とを備えた無線送受信回路に減衰調整部を設けたものであるが、例えば、図１７に示すように、受信部５３００が接続される受信端ｂと、減衰調整部６１００が接続される反射端ｄとを、単極双投（ＳＰＤＴ）スイッチとした切替スイッチ部６２００により、通常の受信時と、受信信号が過大入力となった受信時とで切り替えることで、受信部５３００のみを備えた無線受信回路にも適用は可能である。
【０１０９】
このように受信部５３００のみ備えた無線受信回路であっても、受信信号が所定の大きさより大きいとき、アンテナ接続端ａを反射端ｄに接続するよう切替スイッチ部６２００を切り替えて、アンテナ５００１から入力した受信信号と、アンテナ５００１から入力した受信信号を反射部５２２０で反射させた信号とを加え、加えた信号を反射端ｄから受信端ｂへ漏洩させることで、受信端ｂでの受信信号のレベルを適正に調整することができ、再生音質の低下を防止することが可能である。
【産業上の利用可能性】
【０１１０】
本発明は、受信信号が極度に大きいレベルであっても適正なレベルに調整可能とすることで、再生音質の低下を防止することができるので、無線送信装置からの無線信号を受信して復調する無線受信回路、受信信号減衰方法および携帯無線電話機に好適である。
【図面の簡単な説明】
【０１１１】
【図１】（ａ）コードレス電話機の親機を示す外観図、（ｂ）コードレス電話機の子機を示す外観図
【図２】親機の構成を示す図
【図３】子機の構成を示す図
【図４】無線送受信回路を示すブロック図
【図５】切替スイッチ部および減衰調整部を示す図
【図６】位相調整回路の一例を示す図
【図７】反射部の一例を示す図
【図８】受信信号が過大レベルの時の受信切替スイッチ部の状態および信号の流れを示す図
【図９】受信信号と反射波とがベクトル合成されて合成波となる状態を示す図
【図１０】本実施の形態２に係る無線送受信回路を示す図
【図１１】本実施の形態２に係る無線送受信回路を示す図
【図１２】本実施の形態３に係る無線送受信回路を示す図
【図１３】図１２における送信時の動作を示す図
【図１４】図１２における通常の受信時の動作を示す図
【図１５】図１２における受信信号が過大入力となる受信時の動作を示す図
【図１６】本実施の形態４に係る無線送受信回路を示す図
【図１７】無線受信回路を示す図
【符号の説明】
【０１１２】
１０    親機
２０    子機
５０    無線送受信回路
６０    無線送受信回路
１００１    充電部
１００２    通話中ランプ
１００３    留守ランプ
１００４    ＬＣＤ
１００５    スライドスイッチ
１００６    スライドボリューム
１００７    アンテナ
１０１０    無線ブロック
１０１１    有線ブロック
１０１２    メモリブロック
１０１３    ユーザＩ／Ｆブロック
１０１４    電源ブロック
１０１５    制御ブロック
１０１６    操作キー部
１０１７    スピーカ
２００１    レシーバ
２００２    ＬＣＤ
２００３    機能キー部
２００４    数字キー部
２００５    マイク
２０１０    無線ブロック
２０１１    メモリブロック
２０１２    ユーザＩ／Ｆブロック
２０１３    電源ブロック
２０１４    制御ブロック
２０１５    アンテナ
２０１６    操作キー部
２０１７    スピーカ
２０１８    レシーバ
５００１    アンテナ
５１００    切替スイッチ部
５２００    減衰調整部
５２１０    位相調整部
５２１１    マイクロストリップライン
５２１２，５２１３    コイル
５２１４    グランド
５２１５    コンデンサ
５２２０    反射部
５２２１    グランド
５２２２    開放端
５３００    受信部
５３１０    バンドパスフィルタ部
５３２０    バラン部
５３３０    ローノイズアンプ部
５３４０    ミキサ部
５３５０    ローパスフィルタ部
５３６０    ゲイン調整部
５４００    送信部
５４１０    第１増幅部
５４２０    ローパスフィルタ部
５４３０    ミキサ部
５４４０    第２増幅部
５４５０    バラン部
５４６０    電力増幅部
５５００    局部発振部
５５１０    発振器
５５２０    ＰＬＬ部
５６００    ベースバンド部
５７００    ＭＡＣ部
６１００    減衰調整部
６１１０    第１スイッチ部
６１１１    ダイオード
６１１２    抵抗
６１１３    コンデンサ
６１１４    コイル
６１２０    マイクロストリップライン
６１３０    グランド
６２００    切替スイッチ部
６２０１    抵抗
６２０２    コンデンサ
６２０３    コイル
６２０４    ダイオード
６２０５    抵抗
６２０６    コンデンサ
６２０７    コイル
６２０８    コンデンサ
６２０９    ダイオード
６２１０    コイル
６３００    抵抗
６４１０    ダイオード
６４２０    コイル
６５００    減衰調整部
６５１０    マイクロストリップライン
６５２０    第１反射部
６５３０    第２反射部
６５４０    第３スイッチ部
６５４１    第１反射部スイッチ
６５４２    第２反射部スイッチ
ａ    アンテナ接続端
ｂ    受信端
ｃ    送信端
ｄ    反射端
ｅ    切替端
【図１】
0004775051.tif 000002
【図２】
0004775051.tif 000003
【図３】
0004775051.tif 000004
【図４】
0004775051.tif 000005
【図５】
0004775051.tif 000006
【図６】
0004775051.tif 000007
【図７】
0004775051.tif 000008
【図８】
0004775051.tif 000009
【図９】
0004775051.tif 000010
【図１０】
0004775051.tif 000011
【図１１】
0004775051.tif 000012
【図１２】
0004775051.tif 000013
【図１３】
0004775051.tif 000014
【図１４】
0004775051.tif 000015
【図１５】
0004775051.tif 000016
【図１６】
0004775051.tif 000017
【図１７】
0004775051.tif 000018